(57)【要約】【課題】  限られた表示画面内に選択希望フォルダ名とともに操作方向に添った次期候補フォルダ名を表示することにより、検索者が希望フォルダ名の選択を容易に行うことのできる検索表示装置を得る。【解決手段】  記憶兼操作方向判別部からの操作方向信号と表示行数部に記憶された表示行数信号を受けてフォルダ名記憶部からフォルダ名を読み出す昇順方向読み出し部および降順方向読み出し部と、操作方向が昇順方向、降順方向によってマーク位置を変更するマーク位置変更部とを備え、表示フォルダ名作成処理部は操作方向の先端行に位置させた選択希望フォルダ名に前記マークを付するとともに次期候補フォルダを前記表示画面に表示させるように表示フォルダ名を作成するものである。【選択図】        図２
2006244059.tif 000002
【特許請求の範囲】
【請求項１】
フォルダ名を少なくとも２行以上表示できる表示画面を有する表示部と、前記表示部の表示行数を記憶している表示行数記憶部と、操作部からの操作信号を受けると記憶している現在までの操作方向との対比において操作方向を判別する記憶兼操作方向判別部と、この記憶兼操作方向判別部からの操作方向信号と前記表示行数部に記憶された表示行数信号を受けてフォルダ名記憶部からフォルダ名を読み出す昇順方向読み出し部および降順方向読み出し部と、操作位置を指示するマークを発生するマーク発生部と、操作方向が昇順方向であれば前記マークを次期候補フォルダ名位置に、また操作方向が降順方向であれば降順方向の先端行位置に移動させるマーク位置変更部と、前記昇順方向読み出し部または降順方向読み出し部で読み出されたフォルダ名、前記操作方向信号、前記マーク位置変更部からのマーク変更信号とに基づいて、操作方向の先端行に位置させた選択希望フォルダ名に前記マークを付するとともに次期候補フォルダ名を前記表示画面に表示させるように表示フォルダ名を作成する表示フォルダ名作成処理部とを備えた検索表示装置。
【請求項２】
操作方向信号に基づいて起動するタイマを備え、前記タイマ時間の間、表示部の表示フォルダ名を変更することなく、マーク位置変更部からのマーク変更信号とに基づいてマーク表示位置のみを変更表示することを特徴とする請求項１記載の検索表示装置。
【発明の詳細な説明】
【技術分野】
【０００１】
この発明は、例えば小型ディスプレイ装置において、膨大な数のフォルダ名の中から希望するフォルダ名を限られた表示画面の中で検索するのに適する検索表示装置に関するものである。
【背景技術】
【０００２】
従来、この種の検索表示装置は、フォルダ階層構造で記憶した膨大な数のフォルダ名の中から希望するフォルダ名を選択するために、希望のフォルダ名が属する階層の次の下位階層のフォルダ名を記憶手段から読み出し、この読み出した階層のフォルダ名の一覧を表示するものがある（例えば、特許文献１参照）。
【０００３】
【特許文献１】特開２００３−０８４８７７号公報（［０１１２］、図３）
【発明の開示】
【発明が解決しようとする課題】
【０００４】
従来の検索表示装置は以上のように構成されているので、階層のフォルダ名の一覧を表示するために、大容量の記憶媒体と大画面のディスプレイが必要であるという課題があった。
【０００５】
この発明は上記のような課題を解消するためになされたもので、限られた表示画面内に選択希望フォルダ名とともに操作方向に添った次期候補フォルダ名を表示することにより、検索者が希望フォルダ名の選択を容易に行うことのできる検索表示装置を提供することを目的とする。
【課題を解決するための手段】
【０００６】
この発明に係る検索表示装置は、フォルダ名を少なくとも２行以上表示できる表示画面を有する表示部と、前記表示部の表示行数を記憶している表示行数記憶部と、操作部からの操作信号を受けると記憶している現在までの操作方向との対比において操作方向を判別する記憶兼操作方向判別部と、この記憶兼操作方向判別部からの操作方向信号と前記表示行数部に記憶された表示行数信号を受けてフォルダ名記憶部からフォルダ名を読み出す昇順方向読み出し部および降順方向読み出し部と、操作位置を指示するマークを発生するマーク発生部と、操作方向が昇順方向であれば前記マークを次期候補フォルダ名位置に、また操作方向が降順方向であれば降順方向の先端行位置に移動させるマーク位置変更部と、前記昇順方向読み出し部または降順方向読み出し部で読み出されたフォルダ名、前記操作方向信号、前記マーク位置変更部からのマーク変更信号とに基づいて、操作方向の先端行に位置させた選択希望フォルダ名に前記マークを付するとともに次期候補フォルダ名を前記表示画面に表示させるように表示フォルダ名を作成する表示フォルダ名作成処理部とを備えたものである。
【発明の効果】
【０００７】
この発明によれば、昇順、降順のいずれの操作方向であっても、選択希望フォルダ名と同時に次期候補フォルダ名を表示する。しかも、操作方向を反対にしたときには先頭行フォルダ名を境に、今まで表示されていなかった反対方向のフォルダ名を表示行数−１だけ一度に表示することができる。この結果、検索者は検索時、見落として行き過ぎたフォルダ名の検索を、操作方向を反対にすることにより直ちに見出すことができるため、膨大な数のフォルダ名の中から希望するフォルダ名を限られた表示画面の中に容易に見出すことができる。従って、例えば車両に搭載した音楽再生装置のように、膨大な曲数の音楽曲フォルダ名から希望するフォルダ名を簡単迅速に選択することができ、ドライバにとってきわめて有効適切であるという効果がある。
【発明を実施するための最良の形態】
【０００８】
以下、この発明の実施の一形態を図面について詳細に説明する。
実施の形態１．
図１はこの発明の実施の形態１を示す概要図、図２はその詳細を示すブロック構成図、図３はその動作を示す全体のフローチャート図、図４は選択するべきフォルダ名を示すディレクトリ図、図５はそのフォルダ名を階層的に表した階層図である。
【０００９】
この発明の検索表示装置は、図１に示すように、小型ディスプレイ部１（以下、表示部と称する）、主制御部２、パネル操作部３（以下、操作部と称する）、ＣＤ／ＤＶＤ機構部４（以下、フォルダ名記憶部と称する）を有する。フォルダ名記憶部４は、例えばＨＤＤ、ＤＶＤ若しくはＣＤ−ＲＯＭ等の大容量記憶媒体であって、膨大なフォルダ名が記憶されている。そして、この膨大なフォルダ名から希望するフォルダ名を効率よく選択するために、図４に示すようにツリー状に分け、図５に示すように階層状に記憶されている。
【００１０】
主制御部２は図２に示すように、記憶兼操作方向判別部２１、フォルダ名記憶部４から昇順方向にフォルダ名を読み出す昇順方向読出し部２２、フォルダ名記憶部４から降順方向にフォルダ名を読み出す降順方向読出し部２３、記憶兼操作方向判別部２１からの操作方向信号を受けて、マーク発生部２６から出力されたマークの表示位置を変更するマーク位置変更部２５、表示部１の表示行数を記憶する表示行数記憶部２７、表示フォルダ名作成処理部２８等を有する。
【００１１】
記憶兼操作方向判別部２１は、現在表示している選択希望フォルダ名を選択したときに操作部３から出力された例えばパルス数を記憶し、次回の操作で操作部から出力されるパルスによる上記記憶パルス数の増減によって操作方向を判別する。昇順方向読出し部２２はフォルダ名記憶部４から階層状に記憶されているフォルダ名を、現在表示されているフォルダ名より昇順方向に１行分ずらせて読み出し、降順方向読出し部２３はフォルダ名記憶部４から階層状に記憶されているフォルダ名を現在表示されている後端行フォルダ名、つまり降順方向の先端行フイルタ名を境に降順方向に表示行数−１行分を一度に読み出す。
【００１２】
マーク位置変更部２５は、記憶兼操作方向判別部２１から操作方向信号が昇順であれば、マーク位置を１表示行分昇順方向に移動させる変更信号を表示フォルダ名作成処理部２８に送り、降順であれば、マーク位置を現在表示されている後端行フォルダ名位置に変更させる信号を表示フォルダ名作成処理部２８に送る。なお、表示行数記憶部２７に対する表示行数の記憶の仕方は任意であるが、例えば、表示画面の表示行数を知る使用者が不図示の入力手段により予め表示行数を入力記憶する。
【００１３】
表示フォルダ名作成処理部２８は、昇順方向読出し部２２または降順方向読出し部２３から表示行数のフォルダ名を受けるとともに、マーク位置変更部２５からのマーク位置変更信号、つまり、操作方向が昇順方向であれば昇順方向に１行分だけ移動させる変更信号、操作方向を反対にした降順方向であれば降順方向の先端行位置へ移動させる変更信号を受け、そのマーク変更信号に基づく位置にマークを付してフォルダ名を表示部１の表示画面に表示する。
【００１４】
次に動作について説明する。
図６は検索動作に基づいて表示内容が変化する表示部１の表示画面を示す図である。この実施の形態１では表示部１の表示画面は２行表示のものである。フォルダ名検索を昇順方向の操作で開始すると（ステップＳＴ０）、（６−１）は１例として、表示部１の表示画面に現在の選択希望フォルダ名Ｆ、昇順次期候補フォルダ名Ｇが表示されたことを示している（ステップＳＴ１）。そして、昇順方向あるいは降順方向の操作信号があるかを判断し（ステップＳＴ２）、操作信号がない間はこの判断状態を繰り返す。操作信号があったときは、昇順方向か降順方向かを判断する（ステップＳＴ３）。
【００１５】
いま、次期候補フォルダであるフォルダ名Ｇを選択希望フォルダとするために、操作部３を昇順方向に１フォルダ名分操作すると、ステップＳＴ３における判断は変化無しとなり、まず、記憶兼操作方向判別部２１は操作部３から１フォルダ名に相当するパルスを受けることにより、記憶してあるパルス数が増加することに基づき昇順操作方向であることを判別する。
【００１６】
そして、マーク位置変更部２５は記憶兼操作方向判別部２１からの昇順判別信号を受けてマークＭを１フォルダ名昇順方向に移動させる信号を表示フォルダ名作成処理部２８に送る。一方、昇順方向読出し部２２は記憶兼操作方向判別部２１から昇順判別信号、表示部１の表示行数記憶部２７からの表示行数を受け、フォルダ名記憶部４から昇順方向に次期候補フォルダ名Ｈを読み出し（ステップＳＴ４）、表示フォルダ名作成処理部２８に送る
【００１７】
表示フォルダ名作成処理部２８では、昇順方向読出し部２２から送られた読み出しフォルダ名Ｈ、マーク位置変更部２５からのマーク位置変更信号に基づいて、先端行位置へ選択希望フォルダ名であるフォルダ名Ｇを移し、それに続く行に新たな次期候補フォルダ名Ｈを表示するように、表示フォルダ名を作成し、これを表示部１に送り表示する（ステップＳＴ５、ＳＴ６）。この状態が（６−２）である。
【００１８】
この状態において、再び、次期候補フォルダ名であるフォルダ名Ｈを選択希望フォルダとするために、操作部３を昇順方向に１フォルダ分操作すると、まず、記憶兼操作方向判別部２１は操作部３から１フォルダ名に相当するパルスを受けることにより、記憶してあるパルスあるパルス数が増加することに基づき、操作方向が昇順であることを判別する。
【００１９】
そして、マーク位置変更部２５は記憶兼操作方向判別部２１からの昇順判別信号を受けて、ステップＳＴ３における判断が変化有りになると、マークＭを１フォルダ名昇順方向に移動させる信号を表示フォルダ名作成処理部２８に送る。一方、昇順方向読出し部２２は記憶兼操作方向判別部２１から昇順判別信号、表示部１の表示行数記憶部２７からの表示行数を受け、フォルダ名記憶部４から昇順方向に次期候補フォルダ名Ｉを読み出し、表示フォルダ名作成処理部２８に送る。
【００２０】
この表示フォルダ名作成処理部２８では、昇順方向読出し部２２から送られた読み出しフォルダ名Ｉ、マーク位置変更部２５からのマーク変更信号に基づいて、先端行位置へ選択希望フォルダ名であるフォルダ名Ｈを移し、それに続く行に新たな次期候補フォルダ名Ｉを表示するように、表示フォルダ名を作成し、これを表示部１に送り表示する。この状態が（６−３）である。
【００２１】
この状態において、再び、次期候補フォルダ名であるフォルダ名Ｉを選択希望フォルダとするために、操作部３を昇順方向に１フォルダ分操作すると、まず、記憶兼操作方向判別部２１は操作部３から１フォルダ名に相当するパルスを受けることにより、記憶してあるパルスあるパルス数が増加することに基づき、操作方向が昇順であることを判別する。
【００２２】
そして、マーク位置変更部２５は記憶兼操作方向判別部２１からの昇順判別信号を受けて、マークＭを１フォルダ名昇順方向に移動させる信号を表示フォルダ名作成処理部２８に送る。一方、昇順方向読出し部２２は記憶兼操作方向判別部２１から昇順判別信号、表示部１の表示行数記憶部２７からの表示行数を受け、昇順方向読出し部２２はフォルダ名記憶部４から昇順方向に次期候補フォルダ名Ｊを読み出し、表示フォルダ名作成処理部２８に送る。
【００２３】
この表示フォルダ名作成処理部２８では、昇順方向読出し部２２から送られた読み出しフォルダ名Ｊ、マーク位置変更部２５からのマーク変更信号に基づいて、先端行位置へ選択希望フォルダ名であるフォルダ名Ｉを移し、それに続く行に新たな次期候補フォルダ名Ｊを表示するように、表示フォルダ名を作成し、これを表示部１に送り表示する。この状態が（６−４）である。
【００２４】
この状態において、操作部３をこれまでとは反対の降順方向に操作すると、まず、記憶兼操作方向判別部２１は操作部３からパルスを受けることにより、記憶してあるパルス数が減少することに基づき、操作方向が降順であることを判別する。
【００２５】
そして、マーク位置変更部２５は記憶兼操作方向判別部２１からの降順判別信号を受けて、マークＭを降順方向の先端行位置（現状の説明では表示行が２行であるため１行分のみしか移動していないが、後記に多数行の表示画面を例に具体的に説明する）に移動させる信号を表示フォルダ名作成処理部２８に送る。一方、降順読出し部２３は記憶兼操作方向判別部２１から降順判別信号、表示部１の表示行数記憶部２７からの表示行数を受け、フォルダ名記憶部４から降順方向の次期候補フォルダ名Ｈを読み出し（ステップＳＴ７）、表示フォルダ名作成処理部２８に送る。
【００２６】
表示フォルダ名作成処理部２８では、降順方向読出し部２３から送られた読み出しフォルダ名、マーク位置変更部２５からのマーク位置変更信号に基づいて、先端行位置へ選択希望フォルダ名であるフォルダ名Ｉを移し、それに続く行に新たな次期候補フォルダ名Ｈを表示するように、表示フォルダ名を作成し、これを表示部１に送り表示する（ステップＳＴ８，ＳＴ９）。この状態が（６−５）である。
【００２７】
図７は降順方向の操作で表示状態を変化させ、最後に操作方向を反対の昇順方向にして表示状態を変化させた例であり、その表示状態を変化させる具体的動作（７−１）〜（７−５）は図６の場合（６−１）〜（６−５）と同じであり、重複説明は省略する。
【００２８】
図８は表示部１の表示画面が５行表示の場合の例である。図８において、現在の選択希望フォルダ名は昇順方向の操作でフォルダ名Ｆであり、それに続くフォルダ名Ｇ，Ｈ，Ｉ，Ｊが表示されている（８−１）。
この状態において、操作部３をこれまでとは反対の降順方向に操作すると、まず、記憶兼操作方向判別部２１は操作部３からパルスを受けることにより、記憶してあるパルス数が減少することに基づき、操作方向が降順であることを判別する。
【００２９】
そして、マーク位置変更部２５は記憶兼操作方向判別部２１からの降順判別信号を受けて、マークＭを降順方向の先端行位置に移動させる信号を表示フォルダ名作成処理部２８に送る。一方、降順方向読出し部２３は記憶兼操作方向判別部２１から降順判別信号、表示行数記憶部２７からの表示行数を受け、現在表示されている後端行フォルダ名、つまり、降順方向の先端行フォルダ名Ｆを境に降順方向のフォルダ名Ｆ、Ｅ、Ｄ，Ｃ，Ｂを一度に読み出し、表示フォルダ名作成処理部２８に送る。
【００３０】
表示フォルダ名作成処理部２８では、降順方向読出し部２３から送られた読み出しフォルダ名Ｆ、Ｅ、Ｄ，Ｃ，Ｂ、マーク位置変更部２５からのマーク位置変更信号に基づいて、先端行位置へ選択希望フォルダ名であるフォルダ名Ｆ、それに続く行に新たな次期候補フォルダ名Ｅを表示するように、表示フォルダ名Ｅ、Ｄ，Ｃ，Ｂを作成し、これを表示部１に送り表示する（８−２）。
【００３１】
また、この状態において、操作部３を前とは反対の昇順方向に操作すると、まず、記憶兼操作方向判別部２１は操作部３からパルスを受けることにより、記憶してあるパルス数が増加することに基づき、操作方向が昇順であることを判別する。
【００３２】
そして、マーク位置変更部２５は記憶兼操作方向判別部２１からの昇順判別信号を受けて、マークＭを昇順方向の先端行位置に移動させる信号を表示フォルダ名作成処理部２８に送る。一方、昇順方向読出し部２２は記憶兼操作方向判別部２１から昇順判別信号、表示部１の表示行数記憶部２７からの表示行数を受け、現在表示されている後端行フォルダ名、つまり、昇順方向の先端行フォルダ名Ｆを境に昇順方向のフォルダ名Ｆ、Ｇ，Ｈ，Ｉ，Ｊを一度に読み出し、表示フォルダ名作成処理部２８に送る。
【００３３】
表示フォルダ名作成処理部２８では、昇順方向読出し部２２から送られた読み出しフォルダ名Ｆ、Ｇ，Ｈ，Ｉ，Ｊ、マーク位置変更部２５からのマーク位置変更信号に基づいて、先端行位置へ選択希望フォルダ名であるフォルダ名Ｆ、それに続く行に新たな次期候補フォルダ名Ｇを表示するように、表示フォルダ名Ｇ，Ｈ，Ｉ，Ｊを作成し、これを表示部１に送り表示する（８−３）。
【００３４】
以上のように実施の形態１によれば、昇順、降順のいずれの操作方向であっても、選択希望フォルダ名と同時に次期候補フォルダを表示する。しかも、操作方向を反対にしたときには後端行フォルダ名を境に、今まで表示されていなかった反対方向のフォルダ名を表示行数−１だけ一度に表示することができる。この結果、検索者は検索時、見落として行き過ぎたフォルダ名の検索を、操作方向を反対にすることにより直ちに見出すことができる。特に、図８に示したように、表示部の表示画面が多数行を表示できるものであれば、操作方向を反対にしたときには、それまでの表示行の後端行を境にして反対方向のフォルダ名が表示行数−１行分だけ１度に表示されるため、膨大な数のフォルダ名の中から希望するフォルダ名の中に容易に見出すことができる。従って、例えば車両に搭載した音楽再生装置のように、膨大な曲数の音楽曲フォルダ名から希望するフォルダ名を簡単迅速に選択することができ、ドライバにとってきわめて有効適切であるという効果がある。
【００３５】
実施の形態２.
図９は実施の形態２の主制御部２を示す構成ブロック図であり、図２に示す実施の形態１における主制御部２に記憶兼操作方向判別部２１からの操作方向信号を受けることにより起動するタイマ２４と、このタイマ２４からのタイマ起動信号によって開閉されるアンドゲートＧ１，Ｇ２を設けたものである。
【００３６】
次に動作について説明する。
図１０は実施の形態２の動作に基づいて表示内容が変化する表示部１の表示画面を示す図である。この実施の形態２では表示部１の表示画面は２行表示のものであり、図示例は昇順方向の操作で現在の選択希望フォルダ名Ｆ、昇順次期候補フォルダ名Ｇを示している（１０−１）。
【００３７】
この状態において、次期候補フォルダであるフォルダ名Ｇを選択希望フォルダとするために、操作部３を昇順方向に１フォルダ名分操作すると、まず、記憶兼操作方向判別部２１は操作部３から１フォルダ名に相当するパルスを受けることにより、記憶してあるパルス数が増加することに基づき昇順操作方向であることを判別する。
【００３８】
そして、記憶兼操作方向判別部２１からの昇順判別信号でタイマ２４を起動するとともに、マーク位置変更部２５を起動させ、マークＭを１フォルダ名昇順方向に移動させる信号を表示フォルダ名作成処理部２８に送り、タイマ２４の起動時間例えば２５０ｍｓｅｃ間は、マークＭの表示位置を１フォルダ名分昇順方向に移動させる他は上記図（１０−１）の表示状態を続ける（１０−２）。
【００３９】
そして、この表示状態をタイマ２４で決めた時間例えば２５０ｍｓｅｃ間続けた後、タイムアップ信号を受けてアンドゲートＧ１，Ｇ２を開き、昇順方向読出し部２２は記憶兼操作方向判別部２１から昇順判別信号、表示部１の表示行数記憶部２７からの表示行数を受け、フォルダ名記憶部４から昇順方向に次期候補フォルダ名Ｈを読み出し、表示フォルダ名作成処理部２８に送る。表示フォルダ名作成処理部２８では、昇順方向読出し部２２から送られた読み出しフォルダ名Ｈ、マーク位置変更部２５からのマーク位置変更信号に基づいて、先端行位置へ選択希望フォルダ名であるフォルダ名Ｇを移し、それに続く行に新たな次期候補フォルダ名Ｈを表示するように、表示フォルダ名を作成し、これを表示部１に送り表示する。この状態が（１０−３）である。
【００４０】
この状態において、再び、次期候補フォルダ名であるフォルダ名Ｈを選択希望フォルダ名とするために、操作部３を昇順方向に１フォルダ名分操作すると、まず、記憶兼操作方向判別部２１は操作部３から１フォルダ名に相当するパルスを受けることにより、記憶しているパルス数が増加することに基づき、操作方向が昇順であることを判別する。
【００４１】
そして、記憶兼操作方向判別部２１からの昇順判別信号でタイマ２４を起動するとともに、マーク位置変更部２５を起動させ、マークＭを１フォルダ名昇順方向に移動させる信号を表示フォルダ名作成処理部２８に送り、タイマ２４の起動時間例えば２５０ｍｓｅｃ間は、マークＭの表示位置を１フォルダ名分昇順方向に移動させる他は上記図（１０−３）の表示状態を続ける（１０−４）。
【００４２】
そして、この表示状態をタイマ２４で決めた時間例えば２５０ｍｓｅｃ間続けた後、タイムアップ信号を受けてアンドゲートＧ１，Ｇ２を開き、昇順方向読出し部２２は記憶兼操作方向判別部２１から昇順判別信号、表示部１の表示行数記憶部２７からの表示行数を受け、フォルダ名記憶部４から昇順方向に次期候補フォルダ名Ｉを読み出し、表示フォルダ名作成処理部２８に送る。この表示フォルダ名作成処理部２８では、昇順方向読出し部２２から送られた読み出しフォルダ名Ｉ、マーク位置変更部２５からのマーク変更信号に基づいて、先端行位置へ選択希望フォルダ名であるフォルダ名Ｈを移し、それに続く行に新たな次期候補フォルダ名Ｉを表示するように、表示フォルダ名を作成し、これを表示部１に送り表示する。この状態が（１０−５）である。
【００４３】
この状態において、再び、次期候補フォルダ名であるフォルダ名Ｉを選択希望フォルダ名とするために、操作部３を昇順方向に１フォルダ分操作すると、まず、記憶兼操作方向判別部２１は操作部３から１フォルダ名に相当するパルスを受けることにより、記憶してあるパルス数が増加することに基づき、操作方向が昇順であることを判別する。
【００４４】
そして、記憶兼操作方向判別部２１からの昇順判別信号でタイマ２４を起動するとともに、マーク位置変更部２５を起動させ、マークＭを１フォルダ名昇順方向に移動させる信号を表示フォルダ名作成処理部２８に送り、タイマ２４の起動時間例えば２５０ｍｓｅｃ間は、マークＭの表示位置を１フォルダ名分昇順方向に移動させる他は上記図（１０−５）の表示状態を続ける（１０−６）。
【００４５】
そして、この表示状態をタイマ２４で決めた時間例えば２５０ｍｓｅｃ間続けた後、タイムアップ信号を受けてアンドゲートＧ１，Ｇ２を開き、昇順方向読出し部２２は記憶兼操作方向判別部２１から昇順判別信号、表示部１の表示行数記憶部２７からの表示行数を受け、フォルダ名記憶部４から昇順方向に次期候補フォルダ名Ｊを読み出し、表示フォルダ名作成処理部２８に送る。この表示フォルダ名作成処理部２８では、昇順方向読出し部２２から送られた読み出しフォルダ名Ｊ、マーク位置変更部２５からのマーク変更信号に基づいて、先端行位置へ選択希望フォルダ名であるフォルダ名Ｉを移し、それに続く行に新たな次期候補フォルダ名Ｊを表示するように、表示フォルダ名を作成し、これを表示部１に送り表示する。この状態が（１０−７）である。
【００４６】
この状態において、操作部３をこれまでとは反対の降順方向に１フォルダ名分操作すると、まず、記憶兼操作方向判別部２１は操作部３から１フォルダ名に相当するパルスを受けることにより、記憶してあるパルス数が減少することに基づき、操作方向が降順であることを判別する。
【００４７】
そして、記憶兼操作方向判別部２１からの降順判別信号でタイマ２４を起動するとともに、マーク位置変更部２５を起動させ、マークＭを降順方向に先端行位置（現状の説明では表示行が２行であるため１行分のみしか移動していないが、後記に多数行の表示画面を例に具体的に説明する）に移動させる信号を表示フォルダ名作成処理部２８に送り、タイマ２４の起動時間例えば２５０ｍｓｅｃ間は、マークＭの表示位置を降順方向に移動させた他は上記図（１０−７）の表示状態を続ける（１０−８）。
【００４８】
そして、この表示状態をタイマ２４で決めた時間例えば２５０ｍｓｅｃ間続けた後、タイムアップ信号を受けてアンドゲートＧ１，Ｇ２を開き、降順方向読出し部２３は記憶兼操作方向判別部２１から降順判別信号、表示行数記憶部２７からの表示行数を受け、フォルダ名記憶部４から降順方向の次期候補フォルダ名Ｈを読み出し、表示フォルダ名作成処理部２８に送る。表示フォルダ名作成処理部２８では、降順方向読出し部２３から送られた読み出しフォルダ名Ｈ、マーク位置変更部２５からのマーク変更信号に基づいて、先端行位置へ選択希望フォルダ名であるフォルダ名Ｉを移し、それに続く行に新たな次期候補フォルダ名Ｈを表示するように、表示フォルダ名を作成し、これを表示部１に送り表示する。この状態が（１０−９）である。
【００４９】
図１１は降順方向の操作で表示状態を変化させ、最後に操作方向を反対の昇順方向にして表示状態を変化させた例であり、その表示状態を変化させる具体的動作（１１−１）〜（１１−９）は図１０の場合（１０−１）〜（１０−９）と同じであり、重複説明は省略する。
【００５０】
図１２は表示部１の表示画面が５行表示の場合である。まず、図１２において、現在の選択希望フォルダ名は昇順方向の操作でフォルダ名Ｆであり、それに続くフォルダ名Ｇ，Ｈ，Ｉ，Ｊが表示されている（１２−１）。
この状態において、操作部３をこれまでとは反対の降順方向に操作すると、まず、記憶兼操作方向判別部２１は操作部３からパルスを受けることにより、記憶してあるパルス数が減少することに基づき、操作方向が降順であることを判別する。
【００５１】
そして、記憶兼操作方向判別部２１からの降順判別信号でタイマ２４を起動するとともに、マーク位置変更部２５を起動させ、マークＭを現在表示されている後端行位置、つまり、降順方向の先端行位置に移動させる変更信号を表示フォルダ名作成処理部２８に送り、タイマ２４の起動時間例えば２５０ｍｓｅｃ間は、マークＭの表示位置を降順方向の先端行位置に移動させた他は上記図（１２−１）の表示状態を続ける（１２−２）。
【００５２】
そして、この表示状態をタイマ２４で決めた時間例えば２５０ｍｓｅｃ間続けた後、タイムアップ信号を受けてアンドゲートＧ１，Ｇ２を開き、降順方向読出し部２３は記憶兼操作方向判別部２１から降順判別信号、表示行数記憶部２７からの表示行数を受け、フォルダ名記憶部４から降順方向のフォルダ名Ｆ、Ｅ、Ｄ，Ｃ，Ｂを順次読み出し、表示フォルダ名作成処理部２８に送る。表示フォルダ名作成処理部２８では、降順方向読出し部２３から送られた読み出されたフォルダ名Ｆ、Ｅ、Ｄ，Ｃ，Ｂ、マーク位置変更部２５からのマーク変更信号に基づいて、先端行位置へ選択希望フォルダ名であるフォルダ名Ｆ、それに続く行に新たな次期候補フォルダ名Ｅを表示するように、表示フォルダ名Ｆ、Ｅ、Ｄ，Ｃ，Ｂを作成し、これを表示部１に送り表示する（１２−３）。
【００５３】
また、この状態において、操作部３を前とは反対の昇順方向に操作すると、まず、記憶兼操作方向判別部２１は操作部３からパルスを受けることにより、記憶してあるパルス数が増加することに基づき、操作方向が昇順であることを判別する。
【００５４】
そして、記憶兼操作方向判別部２１からの昇順判別信号でタイマ２４を起動するとともに、マーク位置変更部２５を起動させ、マークＭを現在表示されている後端行位置、つまり、昇順方向の先端行位置に移動させる変更信号を表示フォルダ名作成処理部２８に送り、タイマ２４の起動時間例えば２５０ｍｓｅｃ間は、マークＭの表示位置を昇順方向の先端行位置に移動させた他は上記図（１２−３）の表示状態を続ける（１２−４）。
【００５５】
そして、この表示状態をタイマ２４で決めた時間例えば２５０ｍｓｅｃ間続けた後、タイムアップ信号を受けてアンドゲートＧ１，Ｇ２を開き、昇順方向読出し部２２は記憶兼操作方向判別部２１から昇順判別信号、表示行数記憶部２７からの表示行数を受け、フォルダ名記憶部４から昇順方向のフォルダ名Ｆ、Ｇ，Ｈ，Ｉ，Ｊを順次読み出し、表示フォルダ名作成処理部２８に送る。表示フォルダ名作成処理部２８では、昇順方向読出し部２２から送られた読み出しフォルダ名Ｆ、Ｇ，Ｈ，Ｉ，Ｊ、マーク位置変更部２５からのマーク位置変更信号に基づいて、先端行位置へ選択希望フォルダ名であるフォルダ名Ｆ、それに続く行に新たな次期候補フォルダ名Ｇを表示するように、表示フォルダ名Ｆ、Ｇ，Ｈ，Ｉ，Ｊを作成し、これを表示部１に送り表示する（１２−５）。
なお、図示例の記憶兼操作方向判別部２は、操作部３から操作方向によって極性を異にするパルス信号が入力し、その入力されるパルス信号と記憶しているパルス信号の対比によるパルス信号の増減によって、操作方向を判別するとして説明したが、操作部３から出力される信号はパルス信号に限るものではなく、操作方向によって値の異なる信号（例えば、抵抗値。電圧値等）を用い、この信号と記憶している信号との対比によって操作方向を判別するようにしてもよい。
【００５６】
以上のように実施の形態２によれば、昇順、降順のいずれの操作方向であっても、選択希望フォルダ名と同時に次期候補フォルダ名を表示する。しかも、操作方向を反対にしたときには後端行フォルダ名を境に、今まで表示されていなかった反対方向のフォルダ名を表示行数−１だけ表示するので、実施の形態１と同様の作用効果が得られる。そして、この実施の形態２は、表示内容を変更する操作をする度に、所定時間の間、表示内容を変更することなく、操作方向を示すマークＭの表示位置のみを移動させるように構成したので、マークＭの表示位置の変更を知ることにより、昇順、降順のいずれの方向に操作されたかを迅速且つ正確に認識することができ、膨大な数のフォルダ名の中から希望するフォルダ名を容易に見出すことができるという効果がある。
【図面の簡単な説明】
【００５７】
【図１】この発明の実施の形態１を示す概要図である
【図２】その詳細を示すブロック構成図である。
【図３】その動作を示す全体のフローチャート図である。
【図４】選択するべきフォルダ名を示すディレクトリ図である。
【図５】そのフォルダ名を階層的に表した階層図である。
【図６】実施の形態１において昇順方向の操作で表示内容を変化させた状態を示す表示画面図である。
【図７】実施の形態１において降順方向の操作で表示内容を変化させた状態を示す表示画面図である。
【図８】実施の形態１において表示画面が５行表示の場合における昇順方向、降順方向の操作で表示内容を変化させた状態を示す表示画面図である。
【図９】実施の形態２の構成を示すブロック構成図である。
【図１０】実施の形態２において昇順方向の操作で表示内容を変化させた状態を示す表示画面図である。
【図１１】実施の形態２において降順方向の操作で表示内容を変化させた状態を示す表示画面図である。
【図１２】実施の形態２において表示画面が５行表示の場合における昇順方向、降順方向の操作で表示内容を変化させた状態を示す表示画面図である。
【符号の説明】
【００５８】
１  小型ディスプレイ部、２  主制御部、３  パネル操作部、４  ＣＤ／ＤＶＤ機構部、２１  記憶兼操作方向判別部、２２  昇順方向読出し部、２３  降順方向読出し部、２４  タイマ、２５  マーク位置変更部、２６  マーク発生部、２７  表示行数記憶部、２８  表示フォルダ名作成処理部。
【図１】
2006244059.tif 000003
【図２】
2006244059.tif 000004
【図３】
2006244059.tif 000005
【図４】
2006244059.tif 000006
【図５】
2006244059.tif 000007
【図６】
2006244059.tif 000008
【図７】
2006244059.tif 000009
【図８】
2006244059.tif 000010
【図９】
2006244059.tif 000011
【図１０】
2006244059.tif 000012
【図１１】
2006244059.tif 000013
【図１２】
2006244059.tif 000014